(57)【要約】【課題】サイズ測定の対象となる被写体とこの測定対象と比較される基準対象の被写体との前後関係（遠近関係）を考慮しながら撮影画像を解析することによってその中に含まれている測定対象の実サイズを測定できるようにする。【解決手段】カメラ撮影部７によって撮影されたモニタ画像内で測定対象、基準対象が特定されている状態において、ＣＰＵ１は、この測定対象と基準対象との距離比と基準対象の実サイズを取得した後に、撮影画像を解析することによって測定対象、基準対象毎にその画像サイズを算出すると共に、この各算出サイズと距離比と基準対象の実サイズに基づいて測定対象の実サイズを算出する。【選択図】  図1  
2005181034.tif 000002
【特許請求の範囲】
【請求項１】
撮影画像の中に含まれている被写体の実サイズを測定するサイズ測定装置であって、
撮影画像内の被写体をサイズ測定の対象となる測定対象として指定する他、この測定対象と比較される基準対象を指定する指定手段と、
前記指定された測定対象と基準対象との距離比を取得する他、この基準対象の実サイズを取得する取得手段と、
撮影画像を解析することによって測定対象、基準対象毎にその画像サイズを算出すると共に、この各算出サイズと距離比と基準対象の実サイズに基づいて測定対象の実サイズを算出する算出手段と、
を具備したことを特徴とするサイズ測定装置。
【請求項２】
前記指定手段は、撮影画像を解析することによってその中心部分に位置している画像部分を測定対象として指定する、
ようにしたことを特徴とする請求項1記載のサイズ測定装置。
【請求項３】
測定対象撮影モードと基準対象撮影モードとを切り換えるモード切り替え手段を設け、
前記指定手段は、測定対象撮影モード時の撮影画像内の所定領域内に含まれている画像部分を測定対象として指定し、基準対象撮影モード時の撮影画像内の所定領域内に含まれている画像部分を基準対象として指定する、
ようにしたことを特徴とする請求項1記載のサイズ測定装置。
【請求項４】
前記指定手段は、撮影画像内に含まれている各被写体のうち、予め記憶管理されている複数種の基準対象の何れかに特徴的に一致する画像部分を基準対象として指定する、
ようにしたことを特徴とする請求項1記載のサイズ測定装置。
【請求項５】
予め複数種の基準対象に対応してその実サイズが記憶管理されている状態において、前記取得手段は、前記指定された基準対象に対応する実サイズを読み出し取得する、
ようにしたことを特徴とする請求項1記載のサイズ測定装置。
【請求項６】
カメラ画角に相当する視野内の撮影画像が展開される実撮影領域に非撮影領域を付加することによって当該視野を仮想的にカメラ位置まで拡大したサイズ測定用の作業領域が用意されている状態において、カメラ位置に相当する前記非撮影領域内の位置を測定基点として、前記取得手段は、当該測定基点から実撮影領域内の測定対象、基準対象までの仮想距離を求めてそれらの距離比を算出取得する、
ようにしたことを特徴とする請求項1記載のサイズ測定装置。
【請求項７】
前記測定対象と基準対象とが個別に撮影された場合に、前記取得手段は、前記仮想領域上の測定基点から測定対象までの仮想距離と基準対象までの仮想距離を個別に求めた後に、それらの距離比を算出取得する、
ようにしたことを特徴とする請求項６記載のサイズ測定装置。
【請求項８】
前記基準対象の実サイズおよび画像サイズを取得した後に、測定対象が指定される毎に、指定された測定対象の実サイズを算出する、
ようにしたことを特徴とする請求項１記載のサイズ測定装置。
【請求項９】
測定対象が含まれている撮影画像が表示されている状態において、この撮影画像内に当測定対象に対応付けてその実サイズを表示する、
ようにしたことを特徴とする請求項1記載のサイズ測定装置。
【請求項１０】
コンピュータに対して、
撮影画像内の被写体をサイズ測定の対象となる測定対象として指定する他、この測定対象と比較される基準対象を指定する機能と、
前記指定された測定対象と基準対象との距離比を取得する他、この基準対象の実サイズを取得する機能と、
撮影画像を解析することによって測定対象、基準対象毎にその画像サイズを算出すると共に、この各算出サイズと距離比と基準対象の実サイズに基づいて測定対象の実サイズを算出する機能と、
を実現させるためのプログラム。
【請求項１１】
撮影画像の中に含まれている被写体の実サイズを測定するサイズ測定装置であって、
撮影画像内でサイズ測定の対象となる測定対象を指定する第１の指定手段と、
前記撮影画像とは異なる他の撮影画像内において、前記測定対象と比較される基準対象を指定する第２の指定手段と、
前記基準対象の実際の大きさを示す実サイズを取得する取得手段と、
撮影画像を解析することによって測定対象、基準対象毎にその画像サイズを算出すると共に、この各算出サイズと基準対象の実サイズに基づいて当該測定対象の実サイズを算出する算出手段と、
を具備したことを特徴とするサイズ測定装置。
【請求項１２】
前記第２の指定手段は、基準対象を指定する際に、予め記憶管理されている複数種の基準対象の何れかに特徴的に一致する被写体を基準対象として指定し、
前記取得手段は、前記指定された基準対象に対応して予め記憶管理されている実サイズを読み出し取得する、
ようにしたことを特徴とする請求項１１記載のサイズ測定装置。
【請求項１３】
予め記憶管理されている複数種の基準対象の何れかに特徴的に一致する被写体を基準対象として指定する際に、特徴的に一致する各候補を案内表示する表示手段を設け、
前記第２の指定手段は、前記候補表示の中から任意に選択された候補を基準対象として指定する、
ようにしたことを特徴とする請求項１１記載のサイズ測定装置。
【請求項１４】
予め記憶管理されている複数種の基準対象の何れかに特徴的に一致する候補が存在していない場合には、基準対象を含むように再撮影すべきことを促すガイダンスを案内出力する、
ようにしたことを特徴とする請求項１３記載のサイズ測定装置。
【請求項１５】
コンピュータに対して、
撮影画像内でサイズ測定の対象となる測定対象を指定する他、この撮影画像とは異なる他の撮影画像内において前記測定対象と比較される基準対象を指定する機能と、
前記基準対象の実際の大きさを示す実サイズを取得する機能と、
撮影画像を解析することによって測定対象、基準対象毎にその画像サイズを算出すると共に、この各算出サイズと基準対象の実サイズに基づいて当該測定対象の実サイズを算出する機能と、
を実現させるためのプログラム。
【発明の詳細な説明】
【技術分野】
【０００１】
この発明は、撮影画像の中に含まれている被写体の実サイズを測定するサイズ測定装置およびプログラムに関する。
【背景技術】
【０００２】
従来、カメラ撮影によって被写体のサイズを測定する技術としては、例えば、カメラに備えられている距離センサによって計測されたレンズ位置から被写体までの距離と、ディスプレイ上に表示されている被写体の任意部分と、レンズの撮影画角に基づいて被写体の実際寸法を測定するようにしたデジタルカメラが知られている（特許文献１参照）。また、水中カメラの焦点距離と、水中カメラに一体化されている送受波器によって捕らえられた魚までの距離に基づいて魚影の実際の大きさを表示画面上で求めるようにした魚種判別装置が知られている（特許文献２参照）。
【特許文献１】特開平１１−３４４３１１号公報
【特許文献２】特開平５−３１２９４７号公報
【発明の開示】
【発明が解決しようとする課題】
【０００３】
しかしながら、上述した被写体の実際寸法を測定するデジタルカメラや魚影の実際の大きさを測定する魚種判別装置にあっては、比較的高精度の測定結果を得ることができるが、サイズ測定の対象となる被写体に焦点を合わせた状態で撮影することを前提とするものであり、被写体のサイズを測定する毎に、被写体に焦点を合わせながら被写体毎に１枚ずつ撮影する必要があった。
【０００４】
第１の発明の課題は、サイズ測定の対象となる被写体とこの測定対象と比較される基準対象の被写体との前後関係（遠近関係）を考慮しながら撮影画像を解析することによってその中に含まれている測定対象の実サイズを測定できるようにすることである
第２の発明の課題は、サイズ測定の対象となる被写体とこの測定対象と比較される基準対象の被写体とを個別に撮影したとしても、この基準対象の実サイズに基づいて測定対象の実サイズを測定できるようにすることである。
【課題を解決するための手段】
【０００５】
請求項１記載の発明（第１の発明）は、撮影画像の中に含まれている被写体の実サイズを測定するサイズ測定装置であって、撮影画像内の被写体をサイズ測定の対象となる測定対象として指定する他、この測定対象と比較される基準対象を指定する指定手段と、前記指定された測定対象と基準対象との距離比を取得する他、この基準対象の実サイズを取得する取得手段と、撮影画像を解析することによって測定対象、基準対象毎にその画像サイズを算出すると共に、この各算出サイズと距離比と基準対象の実サイズに基づいて測定対象の実サイズを算出する算出手段とを具備したことを特徴とする
更に、コンピュータに対して、上述した請求項１記載の発明に示した主要機能を実現させるためのプログラムを提供する（請求項１０記載の発明）。
【０００６】
なお、請求項１記載の発明は次のようなものであってもよい。
前記指定手段は、撮影画像を解析することによってその中心部分に位置している画像部分を測定対象として指定する（請求項２記載の発明）。
【０００７】
測定対象撮影モードと基準対象撮影モードとを切り換えるモード切り替え手段を設け、前記指定手段は、測定対象撮影モード時の撮影画像内の所定領域内に含まれている画像部分を測定対象として指定し、基準対象撮影モード時の撮影画像内の所定領域内に含まれている画像部分を基準対象として指定する（請求項３記載の発明）。
【０００８】
前記指定手段は、撮影画像内に含まれている各被写体のうち、予め記憶管理されている複数種の基準対象の何れかに特徴的に一致する画像部分を基準対象として指定する（請求項４記載の発明）。
【０００９】
予め複数種の基準対象に対応してその実サイズが記憶管理されている状態において、前記取得手段は、前記指定された基準対象に対応する実サイズを読み出し取得する（請求項５記載の発明）。
【００１０】
カメラ画角に相当する視野内の撮影画像が展開される実撮影領域に非撮影領域を付加することによって当該視野を仮想的にカメラ位置まで拡大したサイズ測定用の作業領域が用意されている状態において、カメラ位置に相当する前記非撮影領域内の位置を測定基点として、前記取得手段は、当該測定基点から実撮影領域内の測定対象、基準対象までの仮想距離を求めてそれらの距離比を算出取得する（請求項６記載の発明）。
【００１１】
前記測定対象と基準対象とが個別に撮影された場合に、前記取得手段は、前記仮想領域上の基点から測定対象までの仮想距離と基準対象までの仮想距離を個別に求めた後に、それらの距離比を算出取得する（請求項７記載の発明）。
【００１２】
前記基準対象の実サイズおよび画像サイズを取得した後に、測定対象が指定される毎に、指定された測定対象の実サイズを算出する（請求項８記載の発明）。
【００１３】
測定対象が含まれている撮影画像が表示されている状態において、この撮影画像内に当測定対象に対応付けてその実サイズを表示する（請求項９記載の発明）。
【００１４】
請求項１１記載の発明（第２の発明）は、撮影画像の中に含まれている被写体の実サイズを測定するサイズ測定装置であって、撮影画像内でサイズ測定の対象となる測定対象を指定する第１の指定手段と、前記撮影画像とは異なる他の撮影画像内において、前記測定対象と比較される基準対象を指定する第２の指定手段と、前記基準対象の実際の大きさを示す実サイズを取得する取得手段と、撮影画像を解析することによって測定対象、基準対象毎にその画像サイズを算出すると共に、この各算出サイズと基準対象の実サイズに基づいて当該測定対象の実サイズを算出する算出手段とを具備したことを特徴とする。
更に、コンピュータに対して、上述した請求項１記載の発明に示した主要機能を実現させるためのプログラムを提供する（請求項１５記載の発明）。
【００１５】
なお、請求項１１記載の発明は次のようなものであってもよい。
前記第２の指定手段は、基準対象を指定する際に、予め記憶管理されている複数種の基準対象の何れかに特徴的に一致する被写体を基準対象として指定し、前記取得手段は、前記指定された基準対象に対応して予め記憶管理されている実サイズを読み出し取得する（請求項１２記載の発明）。
【００１６】
予め記憶管理されている複数種の基準対象の何れかに特徴的に一致する被写体を基準対象として指定する際に、特徴的に一致する各候補を案内表示する表示手段を設け、前記第２の指定手段は、前記候補表示の中から任意に選択された候補を基準対象として指定する（請求項１３記載の発明）。
【００１７】
予め記憶管理されている複数種の基準対象の何れかに特徴的に一致する候補が存在していない場合には、基準対象を含むように再撮影すべきことを促すガイダンスを案内出力する（請求項１４記載の発明）。
【発明の効果】
【００１８】
請求項１記載の発明によれば、撮影画像内の被写体がサイズ測定の対象となる測定対象として指定されている他、この測定対象と比較される基準対象が指定されている状態において、測定対象と基準対象との距離比および基準対象の実サイズを取得し、更に、撮影画像を解析することによって測定対象、基準対象毎にその画像サイズを算出すると共に、この各算出サイズと距離比と基準対象の実サイズに基づいて測定対象の実サイズを算出するようにしたから、測定対象と基準対象との前後関係（遠近関係）を考慮しながら撮影画像を解析することによって測定対象の実サイズを測定することができると共に、基準対象を１度指定した後は、同一の基準対象を使用して各測定対象の実サイズを何回でも算出測定することができる。なお、撮影画像内において複数の測定対象が指定された場合には、各測定対象毎にその実サイズを測定することができる。更に、撮影時に限らず、画像の再生時でもサイズ測定を行うことも可能となり、必要に応じて何時でも自由にサイズ測定が可能となる。従って、このサイズ測定装置をデジタルカメラに組み込む場合に限らず、パーソナルコンピュータ等の画像データ処理装置に組み込むことによって、その活用範囲を広げ、各種の用途に使用可能となる。
【００１９】
請求項２記載の発明によれば、上述した請求項１記載の発明と同様の効果を有する他、撮影画像を解析することによってその中心部分に位置している画像部分を測定対象として指定するようにしたから、画像解析によって測定対象の自動指定が可能となり、特別な操作が不要となると共に、測定対象を確実に指定することが可能となる。
【００２０】
請求項３記載の発明によれば、上述した請求項１記載の発明と同様の効果を有する他、測定対象撮影モード時においては撮影画像内の所定領域内に含まれている画像部分を測定対象として指定し、基準対象撮影モード時においては撮影画像内の所定領域内に含まれている画像部分を基準対象として指定するようにしたから、個別撮影された各画像を解析することによって測定対象、基準対象の自動指定が可能となり、特別な操作が不要となると共に、測定対象、基準対象を確実に指定することが可能となる。
【００２１】
請求項４記載の発明によれば、上述した請求項１記載の発明と同様の効果を有する他、撮影画像内に含まれている各被写体のうち、予め記憶管理されている複数種の基準対象の何れかに特徴的に一致する被写体を基準対象として指定するようにしたから、画像解析によって基準対象の自動指定が可能となると共に、基準対象を確実に指定することが可能となる。
【００２２】
請求項５記載の発明によれば、上述した請求項１記載の発明と同様の効果を有する他、予め複数種の基準対象に対応してその実サイズが記憶管理されている状態において、前記取得手段は、前記指定された基準対象に対応する実サイズを読み出し取得するようにしたから、基準対象の実サイズの自動取得が可能となり、特別な操作が不要となる。
【００２３】
請求項６記載の発明によれば、上述した請求項１記載の発明と同様の効果を有する他、カメラ画角に相当する視野内の撮影画像が展開される実撮影領域に非撮影領域を付加することによって当該視野を仮想的にカメラ位置まで拡大したサイズ測定用の作業領域が用意されている状態において、カメラ位置に相当する非撮影領域内の位置を測定基点として、当該測定基点から実撮影領域内の測定対象、基準対象までの仮想距離を求めてそれらの距離比を算出取得するようにしたから、距離センサ等を使用しなくても、撮影画像を解析することによって測定対象と基準対象との距離比を算出取得することができる。
【００２４】
請求項７記載の発明によれば、上述した請求項１、６記載の発明と同様の効果を有する他、測定対象と基準対象とが個別に撮影された場合に、仮想領域上の基点から測定対象までの距離と基準対象までの距離を個別に求めた後に、それらの距離比を算出取得するようにしたから、測定対象と基準対象とを個別に撮影した場合でも、基準対象の実サイズに基づいて測定対象の実サイズを測定することができる。
【００２５】
請求項８記載の発明によれば、上述した請求項１記載の発明と同様の効果を有する他、基準対象の実サイズおよび画像サイズを取得した後に、測定対象が指定される毎に、指定された測定対象の実サイズを算出するようにしたから、１つの基準対象を元に複数の測定対象の実サイズを測定することができる。
【００２６】
請求項９記載の発明によれば、上述した請求項１記載の発明と同様の効果を有する他、測定対象が含まれている撮影画像が表示されている状態において、この撮影画像内に当測定対象に対応付けてその実サイズを表示するようにしたから、撮影画像内でサイズ確認を行いながらその測定対象を見ることができると共に、測定対象とその実サイズとの対応関係が明瞭となる。
【００２７】
請求項１１記載の発明によれば、撮影画像内で測定対象が指定されていると共に、この撮影画像とは異なる他の撮影画像内で基準対象が指定されている状態において、基準対象の実サイズを取得すると共に、撮影画像を解析することによって測定対象、基準対象毎にその画像サイズを算出し、この各算出サイズと基準対象の実サイズに基づいて当該測定対象の実サイズを算出するようにしたから、測定対象の被写体と基準対象の被写体とを個別に撮影したとしても、この基準対象の実サイズに基づいて測定対象の実サイズを測定することができる。なお、撮影画像内において複数の測定対象が指定された場合には、各測定対象毎にその実サイズを測定することができる。更に、撮影時に限らず、画像の再生時でもサイズ測定を行うことも可能となり、必要に応じて何時でも自由にサイズ測定が可能となる。従って、このサイズ測定装置をデジタルカメラに組み込む場合に限らず、パーソナルコンピュータ等の画像データ処理装置に組み込むことによって、その活用範囲を広げ、各種の用途に使用可能となる。
【００２８】
請求項１２記載の発明によれば、上述した請求項１１記載の発明と同様の効果を有する他、基準対象を指定する際に、予め記憶管理されている複数種の基準対象の何れかに特徴的に一致する被写体を基準対象として指定すると共に、指定された基準対象に対応して予め記憶管理されている実サイズを読み出し取得するようにしたから、撮影画像を解析することによって基準対象の自動指定が可能となると共に、基準対象の実サイズの自動取得が可能となる。
【００２９】
請求項１３記載の発明によれば、上述した請求項１１記載の発明と同様の効果を有する他、予め記憶管理されている複数種の基準対象の何れかに特徴的に一致する被写体を基準対象として指定する際に、特徴的に一致する各候補が案内表示されている状態において、この候補表示の中から任意に選択された候補を基準対象として指定するようにしたから、基準対象を容易に指定することができる。
【００３０】
請求項１４記載の発明によれば、上述した請求項１１、１３記載の発明と同様の効果を有する他、予め記憶管理されている複数種の基準対象の何れかに特徴的に一致する候補が存在していない場合には、基準対象を含むように再撮影すべきことを促すガイダンスを案内出力するようにしたから、予め決められている基準対象を確実に指定することができる。
【発明を実施するための最良の形態】
【００３１】
以下、図１〜図１７を参照して本発明の実施例を説明する。
図１は、この実施例におけるデジタルカメラの基本的構成要素を示したブロック図である。
このデジタルカメラは、撮影画像（モニタ画像）内に含まれている被写体の実サイズを測定可能なもので、被写体を実撮影する前にサイズ測定が指示された際、この被写体をモニタ撮影したデジタル画像を解析することによって被写体の実サイズを測定してモニタ画面に表示するサイズ測定機能を有している。この場合、サイズ測定の対象となる被写体とこの測定対象と比較される基準対象の被写体との前後関係（遠近関係）を考慮しながらモニタ画像を解析することによって測定対象の実サイズを測定して表示するようにしている。また、サイズ測定の対象となる被写体とこの測定対象と比較される基準対象の被写体とを個別に撮影したとしても、この基準対象の実サイズに基づいて測定対象の実サイズを測定して表示するようにしている。
なお、この実施例の特徴部分を詳述する前に、この実施例のハードウェア上の構成について以下、説明しておく。
【００３２】
ＣＰＵ１は、記憶部２内のオペレーティングシステムや各種アプリケーションソフトに従ってこのデジタルカメラの全体動作を制御する中央演算処理装置である。記憶部２は、ハードディスク等の固定的なメモリであり、プログラム記憶領域とデータ記憶領域とを有している。この記憶部２内のプログラム記憶領域には、後述する図７〜図１０に示す動作手順に従って本実施例を実現する為のアプリケーションプログラムが格納され、また、データ記憶領域には、後述する図６に示すデータ（基準対象テーブル）が格納されている。このプログラムやデータは、必要に応じてワークメモリ３にロードされたり、このワークメモリ３内のデータが記憶部２にセーブされる。なお、記録媒体４は、ＤＶＤ等の着脱自在なメモリであり、記憶部２やワークメモリ３との間においてプログラムや画像データ等の受け渡しを行う。ワークメモリ３には、後述するサイズ測定用の作業領域（測定用画像メモリ）３０が設けられている。
【００３３】
一方、ＣＰＵ１には、その入出力周辺デバイスである操作部５、表示部６、カメラ撮影部７、画像メモリ８がバスラインを介して接続されており、入出力プログラムに従ってＣＰＵ１は、これらの入出力デバイスの動作制御を行う。操作部５は、シャッターボタン、撮影モード／再生モードに切り換えるモードボタン、サイズ測定の開始を指示するサイズ測定ボタン等の各種のファンクションキーを有し、その操作信号はＣＰＵ１へ与えられる。表示部６は、例えば、タッチパネル付きの液晶表示部であり、モニタ画面／ファインダ画面／画像再生画面として使用される。カメラ撮影部７は、撮影レンズ、ミラー等のレンズ・ミラーブロック、ＣＣＤイメージセンサ等の撮像素子、その駆動系等を備え、撮影毎に、撮影画像を画像メモリ８へ順次転送するもので、ＣＰＵ１は、撮影方向（レンズの指向方向）やズーム機構を調整制御したり、オートフォーカス時の駆動制御、シャッター駆動制御、シャッター速度、露出、ホワイトバランス等を制御したり、撮影画像の取り込みを行う。そして、撮影モードにおいてサイズ測定ボタンが操作された際に、サイズ測定機能を起動させることによってモニタ画像内に含まれている被写体の実サイズを測定表示するようにしている。
【００３４】
図２および図３は、上述したサイズ測定用の作業領域（測定用画像メモリ）３０を説明するための図であり、図２は、測定用画像メモリ３０の構成を示している。
この測定用画像メモリ３０は、カメラ画角に相当する視野内のモニタ画像がイメージ展開される実撮影領域３１と、この視野の下端部（言い換えれば、モニタ画像の下端部）からカメラ位置（レンズ位置）までの距離幅に略比例する大きさを持つ非撮影領域３２を有する構成で、この実撮影領域３１の下側に非撮影領域３２を付加することによって当該視野を仮想的にカメラ位置まで拡大したものである。
【００３５】
図３は、測定用画像メモリ３０の説明用として、カメラを被写体に向けた状態を示した図である。ここで、カメラ画角に相当する視野ＢＷに対し、この視野外（図中、破線部分：撮影対象外）において、視野ＢＷの下端部からカメラ位置までの撮影対象外のエリアＢＸは、カメラ本体の高さや撮影角度（水平方向に対する上下方向の角度）等に応じて変動するが、カメラ本体の高さや撮影角度が固定されている状態では、視野ＢＷの下端部からカメラ位置までの距離、つまり、エリアＢＸの幅は一定となる。なお、この実施例においては、カメラ本体の高さや撮影角度などを変えず、それらを固定した状態で撮影する場合を例示している。このエリアＢＸの長さに略比例する大きさを持った非撮影領域３２が実撮影領域３１の下側に付加されると、カメラ位置に相当する非撮影領域３２内の位置が測定基点ＢＰとして設定される。つまり、実撮影領域３１の下端部（モニタ画像の下端部）から非撮影領域３２の幅を隔てた位置が測定基点ＢＰとして設定される。ここで、ＣＰＵ１は、測定用画像メモリ３０上において測定基点ＢＰから実撮影領域３１内の被写体（樹木）Ａまでの仮想距離Ｓ１を計測する。なお、以下、被写体Ａをサイズ測定の対象となる測定対象と呼称する。
【００３６】
図４は、測定用画像メモリ３０上においてサイズ測定の基準となる被写体（基準対象）と測定基点から基準対象までの仮想距離を示した図である。
ここで、測定対象Ａとは別個に撮影された他の被写体Ｂ（交通標識）を測定対象Ａと比較される基準対象Ｂとすると、上述と同様、ＣＰＵ１は、測定用画像メモリ３０上において測定基点ＢＰから実撮影領域３１内の基準対象（交通標識）Ｂまでの仮想距離Ｓ０を計測する。そして、ＣＰＵ１は、この測定対象Ａ、基準対象Ｂの仮想距離Ｓ１、Ｓ０に基づいてそれらの距離比を算出取得し、この距離比を加味して測定対象の実サイズを算出する処理を行う。なお、基準対象Ｂを撮影する際には、測定対象Ａを撮影した時のカメラの高さや撮影角度を固定したのまま状態において、モニタ画面上の「縦中心線」に合わせて撮影するようにしている。
【００３７】
図５は、遠近の関係にある測定対象、基準対象を別個に撮影した場合において、カメラ位置から実際の測定対象Ａ、基準対象Ｂまでの距離関係と各モニタ画像の関係を示した図である。ここで、カメラ位置から実際の測定対象Ａ、基準対象Ｂまでの実距離Ｌ１、Ｌ０は、上述した仮想距離Ｓ１、Ｓ０に略比例しているため、ＣＰＵ１は、これらの距離比を加味して測定対象の実サイズを算出する処理を行う。この場合、ＣＰＵ１は、測定対象Ａを撮影したモニタ画像を解析することによって測定対象Ａの画像サイズを算出すると共に、基準対象Ｂを撮影した他のモニタ画像を解析することによって基準対象Ｂの画像サイズを算出し、更に、基準対象Ｂの実際の大きさを示す実サイズを取得した後に、測定対象Ａ、基準対象Ｂの画像サイズと仮想距離の距離比と基準対象の実サイズに基づいて測定対象Ａの実サイズを算出するようにしている。
【００３８】
図６は、基準対象テーブル１１の内容を示した図である。
この基準対象テーブル１１は、予め任意に登録された基準対象毎に、その「画像データ」、「基準対象名」、「実サイズデータ」を記憶管理する構成となっている。「画像データ」は、上述したようにサイズ測定時において測定対象と比較される基準対象の画像であり、実際のサイズが分かっている被写体を予め任意に撮影登録したもので、例えば、特定人物、道路標識、郵便ポスト、消火栓、建物やその窓枠などの撮影画像である。「基準対象名」は、基準対象の一般的な名称である。この場合、ＣＰＵ１は、撮影画像を解析することによってその中に含まれている基準対象を自動特定するようにしているが、その際に、基準対象テーブル１１に登録されている複数種の基準対象の何れかに特徴的に一致する被写体の画像部分を基準対象として特定するようにしている。
【００３９】
「実サイズデータ」は、その「縦寸法」、「横寸法」、奥行き寸法」に対応する方向別の実サイズに分けられており、ＣＰＵ１は、この方向別の実サイズの中から予め任意に選択指定されている方向の実サイズを読み出すようにしている。つまり、「縦寸法」、「横寸法」、奥行き寸法」のうち、どの方向の実サイズを読み出すかは、予め任意に選択指定可能となっており、ＣＰＵ１は、この指定内容を参照することによって該当する方向の実サイズを読み出すようにしている。なお、基準対象の種類によっては、その「縦寸法」、「横寸法」、奥行き寸法」の何れか１つを登録するようにしてもよい。
【００４０】
次に、この実施例におけるデジタルカメラの動作概念を図７〜図１０に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体の他に、伝送媒体を介して外部供給されたプログラム／データを利用してこの実施例特有の動作を実行することもできる。
【００４１】
図７は、デジタルカメラの全体動作の概要を示したフローチャートであり、電源投入に応じて実行開始される。
先ず、ＣＰＵ１は、撮影モードにセットされている状態において（ステップＡ１）、モニタ画像を逐次取り込んで（ステップＡ２）、モニタ画面に動画として表示させる（ステップＡ３）。この状態において、ボタン操作の有無をチェックし（ステップＡ４）、何れのボタンも操作されなければ（ステップＡ４でＮＯ）、モニタ画像の取り込みに戻るが（ステップＡ２）、いま、シャッターボタンが操作された際には（ステップＡ５）、その時の撮影画像を画像ファイルとして記録保存した後（ステップＡ６）、モニタ画像の取り込みに戻る（ステップＡ２）。
【００４２】
一方、撮影モードから再生モードに切り換えられた際には（ステップＡ７）、ユーザ指示に従って記録画像を順方向／逆方向へ選択指定しながら順次再生表示させる再生処理を行う（ステップＡ８）。その後、再生モードから撮影モードに切り換えられた際には（ステップＡ９）、モニタ画像を取り込む処理に戻る（ステップＡ２）。ここで、撮影モードにおいて、サイズ測定ボタンが操作された際には（ステップＡ１０）、モニタ画像内に含まれている測定対象の実サイズを測定するサイズ測定処理に移る（ステップＡ１１）。
【００４３】
図８〜図１０は、撮影モード時にサイズ測定ボタンの操作に応じて実行されるサイズ測定処理を詳述したフローチャートである。
先ず、ＣＰＵ１は、サイズ測定ボタンの操作に応じて測定対象撮影モードに切り換え、測定対象の撮影に関する注意事項（測定対象を中心に写してシャッター操作を行う旨のメッセージ）を表示する測定開始画面（図１１参照）を表示させた後（ステップＢ１）、モニタ画像を取得してモニタ表示させる（ステップＢ２、Ｂ３）。この状態において、シャッターボタンの有無をチェックし（ステップＢ４）、シャッター操作がなければ、ステップＢ２に戻るが、シャッター操作された際には、現在のモニタ画像を固定表示すると共に（ステップＢ５）、この固定モニタ画像内でその中心部分に位置している被写体画像を測定対象として特定する（ステップＢ６）。そして、この測定対象を囲む枠を生成して合成表示すると共に、確認メッセージを表示した後（ステップＢ７）、操作待ち状態となる（ステップＢ８）。
【００４４】
図１２（Ａ）は、固定モニタ画面内に表示された確認メッセージを示した図で、この確認メッセージは、自動特定した被写体の適否を撮影者に問い合わせ、その適否（ＯＫ／ＮＧ）に応じてファンクションキーＦ１／Ｆ２の操作を促すもので、ＯＫであれば、Ｆ１キー、ＮＧであれば、Ｆ２キーを操作する。ここで、ステップＢ９は、操作キーを判別し、Ｆ２キーが操作された場合にはステップＢ２に戻る。
図１２（Ｂ）は、撮影方向などを変えて目的とする他の被写体がモニタ画像の中心部に来るように調整した後に、シャッター操作を行った場合の確認メッセージを示している。
【００４５】
ここで、Ｆ１キーが操作された場合には、固定モニタ画像を読み出して測定用画像メモリ３０の実撮影領域３１に転送する（ステップＢ１０）。そして、この実撮影領域３１上において測定対象の画像サイズ（測定対象枠サイズ）Ｇ１を算出する（ステップＢ１１）。なお、この画像サイズ「Ｇ１」は、ＣＣＤ等のイメージセンサ上のサイズであり、その有効領域全体の横／縦の寸法と、その全体の横／縦ドットサイズに基づいて縦方向における１ドット当たりの寸法（縦ピッチ）／横方向における１ドット当たり寸法（横ピッチ）を求め、このドットピッチに基づいてサイズ情報に換算された値である（以下、同様）。そして、測定用画像メモリ３０上において測定基点ＢＰから実撮影領域３１内の測定対象までの仮想距離Ｓ１を算出計測する（ステップＢ１２）。その後、測定用画像メモリ３０内の固定モニタ画像、画像サイズ（測定対象枠サイズ）Ｇ１、仮想距離Ｓ１をワークメモリ３の待避メモリ（図示せず）に転送しておく（ステップＢ１３）。
【００４６】
次に、基準対象は撮影済みか否かを調べ（ステップＢ１４）、その撮影が行われていない未撮影の状態であれば、上述の測定対象撮影モードから基準対象撮影モードに切り換えるために、図９のステップＢ１５に移り、基準対象撮影ガイド画面を表示する。
図１３は、基準対象撮影ガイド画面を示した図で、基準対象の撮影に関する注意事項と共に基準対象のサンプル表示が可能である旨のメッセージが表示される。ここで、撮影に関する注意事項としては、基準対象をモニタ画面上の縦中心線に合わせてシャッター操作を行う旨のメッセージと、測定対象を撮影した時の上下方向の角度および高さを変えずに撮影すべき旨のメッセージが表示され、基準対象のサンプル表示を希望する際にはＦ１キーを操作すべき旨のメッセージが表示される。
【００４７】
次に、モニタ画像を取得した後（ステップＢ１６）、図１４に示すように、モニタ画面上に縦中心線を付加表示させる（ステップＢ１７）。この状態において、シャッター操作（ステップＢ１８）、Ｆ１キー操作の有無をチェックし（ステップＢ１９）、Ｆ１キーが操作された場合には、基準対象のサンプル表示を行う（ステップＢ２０）。すなわち、基準対象テーブル１１をアクセスして各基準対象毎に、その「画像データ」および「基準対象名」を読み出してサンプル一覧表示（サムネイル表示）する。ここで、撮影者は、このサンプル一覧表示の内容を確認した後に、所望するサンプルを含むように撮影をやり直す。その後、ステップＢ１６に戻ってモニタ画像の再取得を行う。
【００４８】
いま、シャッター操作が行われた場合には（ステップＢ１８）、現在のモニタ画像を固定表示すると共に（ステップＢ２１）、この固定モニタ画像内で縦中心線上に位置している被写体を基準対象として特定し、この基準対象を囲む枠を生成して合成表示する（ステップＢ２２）。そして、固定モニタ画像を読み出して測定用画像メモリ３０の実撮影領域３１に転送した後（ステップＢ２３）、この測定用画像メモリ３０から基準対象枠内の画像部分を抽出し、この抽出画像に基づいて基準対象テーブル１１を検索し（ステップＢ２４）、基準対象テーブル１１に登録されている各基準対象と抽出画像とを順次比較しながら特徴的に一致する画像の有無を調べる（ステップＢ２５）。この結果、抽出画像が何れの基準対象にも該当しない場合には（ステップＢ２５でＮＯ）、再撮影ガイドの表示を行う（ステップＢ２６）。
図１５は、この再撮影ガイド画面を示した図で、該当無しのメッセージと共に、サンプル表示を確認すべき旨のメッセージが表示される。その後、ステップＢ１５に戻って基準対象撮影ガイド画面が再表示される。
【００４９】
一方、抽出画像が何れの基準対象に該当する場合には（ステップＢ２５でＹＥＳ）、該当する基準対象は１つかを調べ（ステップＢ２７）、１つであれば、ステップＢ３０に移るが、複数の該当が有る場合には、候補選択ガイドの表示を行う（ステップＢ２８）。
図１６は、この候補選択ガイド画面を示した図で、該当した複数の基準対象画像が選択候補として一覧表示される。この一覧表示の中から任意の候補がＦ１キー等によって選択指定されると（ステップＢ２９）、次のステップＢ３０に移る。このステップＢ３０は、選択された基準対象に基づいて基準対象テーブル１１を検索することによってその実サイズＪ０を読み出し取得する。
【００５０】
次に、図１０のステップＢ３１に移り、測定用画像メモリ３０の実撮影領域３１上において、基準対象の画像サイズ（基準対象枠サイズ）Ｇ０を算出する。そして、測定用画像メモリ３０上において、測定基点ＢＰから実撮影領域３１内の基準対象までの仮想距離Ｓ０を算出計測する（ステップＢ３２）。これによって基準対象の実サイズＪ０および枠サイズＧ０と、測定対象の枠サイズＧ１が全て揃った段階で、これらの値をパラメータとして測定対象の実サイズを求める算出処理を行う（ステップＢ３３）。すなわち、上述のワークメモリ３の待避メモリから測定対象の画像サイズ（測定対象枠サイズ）Ｇ１およびその仮想距離Ｓ１を読み出し、基準対象および測定対象の枠サイズＧ０、Ｇ１と仮想距離Ｓ０、Ｓ１と基準対象の実サイズＪ０に基づいて測定対象の実サイズＪ０を次の式に従って算出する。
測定対象の実サイズＪ１＝Ｇ１／Ｇ０＊Ｊ０＊Ｓ１／Ｓ０
【００５１】
このように算出された測定対象の実サイズは、仮想距離の比率、対象枠サイズの比率、基準対象の実サイズをそれぞれ乗算した値となるが、その算出値はおおよそのサイズとなる。次に、ワークメモリ３の待避メモリから測定対象のモニタ画像を読み出してモニタ画像メモリ（図示せず）にセットすることによって当該測定対象のモニタ画像を再表示させる（ステップＢ３４）。この状態において、このモニタ画像の測定対象枠の近傍に、測定対象の実サイズを合成表示させると共に、メッセージデータを合成表示させる（ステップＢ３５）。
【００５２】
図１７は、この場合のモニタ画面を例示したもので、測定対象の実サイズとして、自動算出された横寸法、縦寸法が表示された場合を示している。なお、このモニタ画面には、図示のように、サイズ測定の完了を示すメッセージと共に、その後の操作を案内するメッセージが表示される。なお、Ｆ１キーは、他の測定対象に対してその実サイズ測定を引き続いて続行する場合に操作され、Ｆ０キーは、サイズ測定を終了させる場合に操作されるキーとなる。ここで、操作待ち状態において（ステップＢ３６）、Ｆ０キーが操作された場合には（ステップＢ３７）、このフローから抜けて通常状態に戻るが、Ｆ１キーが操作された場合には（ステップＢ３７でＮＯ）、図８の最初のステップＢ１に戻って測定開始画面に切り換え、以下、上述の動作が繰り返される。この場合、基準対象は撮影済みとなっているため（ステップＢ１４でＹＥＳ）、図１０のステップＢ３３に移り、前回撮影した基準対象を使用して新たな測定対象に対する実サイズ算出が行われる。言い換えれば、基準対象を１度撮影した後は、基準対象の撮影は不要となり、新たな測定対象を撮影する毎に、同一の基準対象を使用して各測定対象の実サイズを何回でも測定することができる。
【００５３】
以上のように、この実施例においては、カメラ撮影部７によって撮影されたモニタ画像内で測定対象、基準対象が特定されている状態において、ＣＰＵ１は、この測定対象と基準対象との距離比と基準対象の実サイズを取得した後に、撮影画像を解析することによって測定対象、基準対象毎にその画像サイズを算出すると共に、この各算出サイズと距離比と基準対象の実サイズに基づいて測定対象の実サイズを算出するようにしたから、測定対象と基準対象との前後関係（遠近関係）を考慮しながらモニタ画像を解析することによって測定対象の実サイズを測定することができると共に、基準対象を１度撮影した後は、基準対象の撮影は不要となり、新たな測定対象を撮影する毎に、同一の基準対象を使用して各測定対象の実サイズを何回でも算出することができる。なお、モニタ画像内において複数の測定対象が特定された場合には、各測定対象毎にその実サイズを測定することができる。
【００５４】
この場合、測定対象撮影モード、基準対象撮影モード毎に別個に撮影された各モニタ画像を解析することによって測定対象、基準対象を特定した後に、この基準対象の実サイズを取得すると共に、測定対象、基準対象毎にその画像サイズを算出し、この各算出サイズと基準対象の実サイズに基づいて当該測定対象の実サイズを算出するようにしたから、測定対象と基準対象とを個別に撮影したとしても、この基準対象の実サイズに基づいて測定対象の実サイズを測定することができる。
【００５５】
また、ＣＰＵ１は、モニタ画像を解析することによってその中心部分に位置している画像部分を測定対象として特定するようにしたから、画像解析によって測定対象の自動特定が可能となり、特別な操作が不要となると共に、測定対象を確実に特定することが可能となる。また、測定対象撮影モード時においてはモニタ画像内の中心部分に含まれている画像部分を測定対象として特定する他、基準対象撮影モード時においてはモニタ画像内の縦中心線上の被写体を基準対象として特定するようにしたから、個別撮影された各モニタ画像を解析によって測定対象、基準対象の自動特定が可能となり、特別な操作が不要となると共に、測定対象、基準対象を確実に特定することが可能となる。
【００５６】
モニタ画像内に含まれている各被写体のうち、基準対象テーブル１１に記憶管理されている複数種の基準対象の何れかに特徴的に一致する被写体を基準対象として検索特定するようにしたから、画像解析によって基準対象の自動特定が可能となると共に、基準対象を確実に特定することが可能となる。この場合、複数の基準対象が検索された際には、これを選択候補として一覧表示し、この候補表示の中から任意に選択された候補を基準対象として特定するようにしたから、基準対象を容易に特定することができる。また、該当する基準対象が検索されなかった場合には、基準対象を含むように再撮影すべきことを促すガイダンスを表示するようにしたから、基準対象を確実に特定することができる。更に、基準対象テーブル１１には各基準対象に対応してその実サイズが記憶管理されているので、基準対象に対応する実サイズを読み出すことができ、基準対象の実サイズの自動取得が可能となり、特別な操作が不要となる。
【００５７】
測定対象撮影モード時には、測定用画像メモリ３０上において測定基点ＢＰから実撮影領域３１内の測定対象までの仮想距離を算出計測し、基準対象撮影モード時には、測定基点ＢＰから実撮影領域３１内の基準対象までの仮想距離を算出計測し、それらの距離比を求めるようにしたから、測定対象と基準対象とを個別に撮影した場合でも、距離センサ等を使用しなくても、モニタ画像を解析することによって測定対象と基準対象との距離比を得ることができる。
【００５８】
基準対象の実サイズおよび画像サイズを取得した後に、測定対象が撮影される毎に、測定対象の実サイズを算出するようにしたから、１つの基準対象を元に複数の測定対象の実サイズを測定することができる。また、測定対象の実サイズが算出された際に、この測定対象が含まれているモニタ画像内に当測定対象に対応付けてその実サイズを表示するようにしたから、モニタ画像内でサイズ確認を行いながらその測定対象を見ることができると共に、測定対象とその実サイズとの対応関係が明瞭となる。
【００５９】
なお、上述した実施例においては、モニタ画像を解析することによって測定対象、基準対象を自動特定するようにしたが、モニタ画面上において撮影者が、測定対象、基準対象を任意に指定するようにしてもよい。この場合、タッチパネル付きのモニタ画面上で任意の位置がタッチ指定（ポイント指定）された際に、その指定ポイントでの画像の連続性などを考慮して測定対象あるいは基準対象を特定するようにしてもよい。この場合、任意の測定対象あるいは基準対象をタッチ指定する際に、その輪郭に沿ってタッチ指定するようにすれば、測定対象あるいは基準対象を容易に特定することが可能となる。
【００６０】
上述した実施例においては、カメラの撮影角度（水平方向に対する上下角度）を固定した状態で撮影する場合を例示したが、撮影時に水平方向に対する上下角度を計測する角度センサを設け、図３で示した測定用画像メモリ３０上の測定基点ＢＰを角度センサによって計測された上下角度に応じて変更するようにしてもよい。すなわち、視野ＢＷの下端部からカメラ位置までの撮影対象外のエリアＢＸは、上下角度に応じて変動するが、このエリアＢＸの長さに略比例する大きさを持った非撮影領域３２を実撮影領域３１の下側に付加することによって測定基点ＢＰの位置を変更するようにしてもよい。
また、上述した実施例においては、測定対象と基準対象とが同一平面上にある場合を想定したが、測定対象と基準対象との高さが異なる場合であっても、測定対象の実サイズを測定することができる。この場合、上述した実施例においては、モニタ画像内において測定対象および基準対象の大きさを特定するようにしたから、測定対象と基準対象との高さが異なっていても測定対象の実サイズを測定することが可能となる。
【００６１】
また、シャッター操作に応答して撮影画像を記録保存する際に、測定対象の実サイズを併せて記録保存するようにすれば、画像再生時にその撮影画像に対応付けられている測定対象の実サイズを読み出して表示することができる。更に、撮影画像毎にその測定対象の実サイズを付加して記録媒体に保存しておき、この記録媒体をパーソナルコンピュータ等の画像データ処理装置に投入して画像再生を行うようにすれば、撮影画像毎にその測定対象の実サイズを表示することができる。
【００６２】
上述した実施例においては、基準対象テーブル１１に複数種の基準対象の画像データを任意に登録するようにしたが、例えば、道路標識、郵便ポスト、消火栓などのように、そのサイズが固定しているものにあっては、それを撮影した撮影画像自体を登録せず、この比較基準の特徴的な情報（例えば、郵便ポストであれば、立方体、縦横比、全体が赤色）を登録するようにしてもよい。また、基準対象テーブル１１の内容は、製品購入時に設定登録されているものであってもよく、必要に応じてユーザが任意の基準対象とその実サイズを追加登録するようにしてもよい。
【００６３】
また、上述した実施例においては、デジタルカメラに適用した場合を示したが、パーソナルコンピュータ等の画像データ処理装置あるいはカメラ付き携帯電話や携帯情報機器などに組み込むようにしてもよく、各種用途にも使用可能である。例えば、建築現場、土木現場などで撮影を行った後、会社で画像再生を行いながら現場の状況を確認する際に、各撮影画像に基づいてその各部位の実サイズを測定表示するようにしてもよい。
その他、サイズ測定装置は、スタンドアロンタイプに限らず、その各構成要素が２以上の筐体に物理的に分離され、通信回線やケーブル等の有線伝送路あるいは電波、マイクロウエーブ、赤外線等の無線伝送路を介してデータを送受信する分散型のシステムであってもよい。
【００６４】
一方、コンピュータに対して、上述した各手段を実行させるためのプログラムコードをそれぞれ記録した記録媒体（例えば、ＣＤ−ＲＯＭ、フレキシブルディスク、ＲＡＭカード等）を提供するようにしてもよい。すなわち、コンピュータが読み取り可能なプログラムコードを有する記録媒体であって、撮影画像内の被写体をサイズ測定の対象となる測定対象として指定する他、この測定対象と比較される基準対象を指定する機能と、前記指定された測定対象と基準対象との距離比を取得する他、この基準対象の実サイズを取得する機能と、撮影画像を解析することによって測定対象、基準対象毎にその画像サイズを算出すると共に、この各算出サイズと距離比と基準対象の実サイズに基づいて測定対象の実サイズを算出する機能とを実現させるためのプログラムを記録したコンピュータが読み取り可能な記録媒体を提供するようにしてもよい。
【００６５】
また、コンピュータが読み取り可能なプログラムコードを有する記録媒体であって、撮影画像内でサイズ測定の対象となる測定対象を指定する他、この撮影画像とは異なる他の撮影画像内において前記測定対象と比較される基準対象を指定する機能と、前記基準対象の実際の大きさを示す実サイズを取得する機能と、撮影画像を解析することによって測定対象、基準対象毎にその画像サイズを算出すると共に、この各算出サイズと基準対象の実サイズに基づいて当該測定対象の実サイズを算出する機能とを実現させるためのプログラムを記録したコンピュータが読み取り可能な記録媒体を提供するようにしてもよい。
【図面の簡単な説明】
【００６６】
【図１】デジタルカメラの基本的構成要素を示したブロック図。
【図２】サイズ測定用の作業領域（測定用画像メモリ）３０を説明するための図。
【図３】測定用画像メモリ３０の説明用として、カメラを被写体に向けた状態を示した図。
【図４】測定用画像メモリ３０上においてサイズ測定の基準となる被写体（基準対象）と測定基点から基準対象までの仮想距離を示した図。
【図５】遠近の関係にある測定対象、基準対象を別個に撮影した場合に、カメラ位置から実際の測定対象、基準対象までの距離関係と各モニタ画像の関係を示した図。
【図６】基準対象テーブル１１の内容を示した図。
【図７】電源投入に応じて実行開始されるデジタルカメラの全体動作の概要を示したフローチャート。
【図８】撮影モード時にサイズ測定ボタンの操作に応じて実行されるサイズ測定処理を詳述したフローチャート。
【図９】図８に続く、サイズ測定処理のフローチャート。
【図１０】図８、図９に続く、サイズ測定処理のフローチャート。
【図１１】測定開始画面を示した図。
【図１２】（Ａ）は、固定モニタ画面内に表示された確認メッセージを示した図、（Ｂ）は、撮影方向などを変えて目的とする他の被写体がモニタ画像の中心部に来るように調整した後に、シャッター操作を行った場合の確認メッセージを示した図。
【図１３】基準対象撮影ガイド画面を示した図。
【図１４】モニタ画面上に付加表示された縦中心線を示した図。
【図１５】再撮影ガイド画面を示した図。
【図１６】候補選択ガイド画面を示した図。
【図１７】モニタ画像の測定対象枠の近傍に測定対象の実サイズを合成表示させた場合のモニタ画面を示した図。
【符号の説明】
【００６７】
１  ＣＰＵ
２  記憶部
４  記録媒体
５  操作部
６  表示部
７  カメラ撮影部
８  画像メモリ
１１  基準対象テーブル
３０  測定用画像メモリ
３１  実撮影領域
３２  非撮影領域
ＢＰ  測定基点
Ｓ０、Ｓ１  仮想距離
Ａ  測定対象
Ｂ  基準対象
【図１】
2005181034.tif 000003
【図２】
2005181034.tif 000004
【図３】
2005181034.tif 000005
【図４】
2005181034.tif 000006
【図５】
2005181034.tif 000007
【図６】
2005181034.tif 000008
【図７】
2005181034.tif 000009
【図８】
2005181034.tif 000010
【図９】
2005181034.tif 000011
【図１０】
2005181034.tif 000012
【図１１】
2005181034.tif 000013
【図１２】
2005181034.tif 000014
【図１３】
2005181034.tif 000015
【図１４】
2005181034.tif 000016
【図１５】
2005181034.tif 000017
【図１６】
2005181034.tif 000018
【図１７】
2005181034.tif 000019